(57)【特許請求の範囲】
【請求項１】
車両の少なくとも一部を構成する車両構成部材を指定するステップと、
前記車両構成部材の画像情報を記憶した部材記憶手段から、前記ステップで指定した車両構成部材の画像情報を抽出するステップと、
前記ステップで抽出された車両構成部材の画像情報を表示して前記車両構成部材の任意の箇所を指定させるステップと、
前記車両構成部材の寸法情報を記憶した寸法記憶手段から、前記ステップで指定した箇所の寸法情報を抽出するステップと、
前記ステップで抽出した寸法情報を前記画像情報の指定個所に表示させた寸法図を提示するステップと、
を含む車両用寸法図提示方法。
【請求項２】
車両の少なくとも一部を構成する車両構成部材を指定するステップと、
前記車両構成部材の画像情報を記憶した部材記憶手段にネットワークを介してアクセスし、前記ステップで指定した車両構成部材の画像情報を抽出するステップと、
前記ステップで抽出された車両構成部材の画像情報を表示して前記車両構成部材の任意の箇所を指定させるステップと、
前記車両構成部材の寸法情報を記憶した寸法記憶手段にネットワークを介してアクセスし、前記ステップで指定した箇所の寸法情報を抽出するステップと、
前記ステップで抽出した寸法情報を前記画像情報の指定個所に表示させた寸法図を提示するステップと、
を含む車両用寸法図提示方法。
【請求項３】
前記寸法情報が、前記車両構成部材上に複数設定した基準点の間隔であることを特徴とする請求項１又は２に記載の車両用寸法図提示方法。
【請求項４】
車両の少なくとも一部を構成する車両構成部材を指定するステップと、
前記車両構成部材の画像情報を記憶した部材記憶手段から前記ステップで指定した車両構成部材の画像情報を抽出するステップと、
前記ステップで抽出された車両構成部材の画像情報を表示して前記車両構成部材の任意の箇所を指定させるステップと、
前記車両構成部材の寸法情報を記憶した寸法記憶手段から、前記ステップで指定した箇所の寸法情報を抽出するステップと、
前記ステップで抽出した寸法情報を前記画像情報の指定個所に表示させた寸法図を提示するステップと、
をコンピュータに実行させる車両用寸法図提示プログラム。
【請求項５】
車両の少なくとも一部を構成する車両構成部材を指定するステップと、
前記車両構成部材の画像情報を記憶した部材記憶手段にネットワークを介してアクセスし、前記ステップで指定した車両構成部材の画像情報を抽出するステップと、
前記ステップで抽出された車両構成部材の画像情報を表示して前記車両構成部材の任意の箇所を指定させるステップと、
前記車両構成部材の寸法情報を記憶した寸法記憶手段にネットワークを介してアクセスし、前記ステップで指定した箇所の寸法情報を抽出するステップと、
前記ステップで抽出した寸法情報を前記画像情報の指定個所に表示させた寸法図を提示するステップと、
をコンピュータに実行させる車両用寸法図提示プログラム。
【請求項６】
前記寸法情報が、前記車両構成部材上に複数設定した基準点の間隔であることを特徴とする請求項４又は５に記載の車両用寸法図提示プログラム。
【請求項７】
車両の少なくとも一部を構成する車両構成部材の寸法情報を記憶する寸法記憶手段と、
前記車両構成部材の画像情報を記憶する部材記憶手段と、
前記車両構成部材を指定する部材指定手段と、
前記部材指定手段で指定した車両構成部材の画像情報を前記部材記憶手段から抽出する部材抽出手段と、
前記部材抽出手段で抽出された車両構成部材の画像情報を表示して前記車両構成部材の任意の箇所を指定させる箇所指定手段と、
前記箇所指定手段で指定した箇所の寸法情報を前記寸法記憶手段から抽出する寸法抽出手段と、
前記寸法抽出手段で抽出した寸法情報を前記画像情報の指定個所に表示させた寸法図を提示する提示手段と、
を備える車両用寸法図提示装置。
【請求項８】
車両の少なくとも一部を構成する車両構成部材の寸法情報を記憶する寸法記憶手段と、前記車両構成部材の画像情報を記憶する部材記憶手段とを備えたデータサーバに対してネットワークを介してアクセスする車両用寸法図提示装置であって、
前記車両構成部材を指定する部材指定手段と、
前記部材指定手段で指定した車両構成部材の画像情報を前記部材記憶手段から抽出する部材抽出手段と、
前記部材抽出手段で抽出された車両構成部材の画像情報を表示して前記車両構成部材の任意の箇所を指定させる箇所指定手段と、
前記箇所指定手段で指定した箇所の寸法情報を前記寸法記憶手段から抽出する寸法抽出手段と、
前記寸法抽出手段で抽出した寸法情報を前記画像情報の指定個所に表示させた寸法図を提示する提示手段と、
を備える車両用寸法図提示装置。
【請求項９】
前記寸法情報が、前記車両構成部材上に複数設定した基準点の間隔であることを特徴とする請求項７又は８に記載の車両用寸法図提示装置。
【発明の詳細な説明】
【０００１】
【発明の属する技術分野】
本発明は、車両を構成するシャーシやフレーム等の部材の寸法図を提示する車両用寸法図提示方法、車両用寸法図提示プログラム及び車両用寸法図提示装置に関する。
【０００２】
【従来の技術】
従来、車両の骨格（フレーム）まで及んだ損傷を修正する場合には、この車両のサービスマニュアル等に掲載されている寸法図を参照して、もとの形状に戻すように修正していた。
【０００３】
【発明が解決しようとする課題】
しかしながら、この寸法図は、図面集或いは冊子等の印刷物として提供されていたため、該当する車種とフレームを探しだすのに手間がかかっていた。
【０００４】
また、修理を行う可能性がある全ての車種について、これを保管しておかなければならず、保管用の場所もとっていた。
【０００５】
更に、一枚の寸法図に多くの寸法が記載されているため、今般の修理に必要な寸法を探すのに時間がかかっていた。
【０００６】
そこで本発明は、指定した箇所の寸法情報に基づいて寸法図を提示することにより、視認性の高い寸法図の提示を可能とした車両用寸法図提示方法、車両用寸法図提示プログラム及び車両用寸法図提示装置の提供を目的とする。
【０００７】
【課題を解決するための手段】
本発明の車両用寸法図提示方法、車両用寸法図提示プログラム及び車両用寸法図提示装置は、必要な箇所を指定し、所要の寸法のみを表示させた寸法図を提示することとしたため、視認性の高い寸法図の提示を可能としている。
【０００８】
【発明の実施の形態】
以下、本発明の実施の形態について添付図面を参照して説明する。
【０００９】
〈実施形態１〉
図１は、本実施形態の車両用寸法図提示装置の概略構成図である。本形態の車両用寸法図提示装置１は、車種と車両構成部材の入力に応じて、この車両構成部材の図面を表示し、この図面中の所望の箇所を指定すると、その箇所の寸法を表示するように構成されている。
【００１０】
この車両用寸法図提示装置１は、図１に示すように、本体１１内に、ＭＰＵ（ｍｉｃｒｏ  ｐｒｏｃｅｓｓｏｒ  ｕｎｉｔ）やメインメモリ等よりなる演算処理部１２、演算処理の為のソフトウェアを記憶したハードディスク（記憶手段）１３、これらのデータの入出力部である入出力ポート１４等が備えられている。
【００１１】
また、該本体１１には、入出力ポート１４を介してキーボード１５やマウス１６等の入力手段、ディスプレイ１７や、プリンタ１９等の出力手段、モデム、ＴＡ、ネットワークカード等の通信制御手段１８が接続されている。
【００１２】
本体１１のハードディスク１３には、オペレーティングシステム（ＯＳ）やアプリケーションソフト（車両用寸法図提示プログラム）がインストールされている。また、ハードディスク１３には、フレームやシャーシなど、車両の少なくとも一部を構成する車両構成部材の画像情報を記憶する部材テーブル（部材記憶手段）や、この車両構成部材の寸法情報を記憶する寸法テーブル（寸法記憶手段）が記憶されている。
【００１３】
演算処理部１２は、周辺機器からの情報やアプリケーションソフトに基づく処理により、部材指定手段、部材抽出手段、箇所指定手段、寸法抽出手段、提示手段を実現している。
【００１４】
部材指定手段の機能としては、キーボードやマウス等の入力手段から入力された車種情報と車両構成部材の情報に基づいて修理対象の車両構成部材を指定している。
【００１５】
前記車種情報は、車体番号、類別番号、シリーズ、型式、コーションプレートに記載された情報等の車種を指定する情報である。
【００１６】
車両構成部材の情報は、部品名称や、メーカ品番、所定の部品コード（翼コード）等である。
【００１７】
部材抽出手段の機能としては、前記部材指定手段で指定した車両構成部材の画像情報を前記部材テーブルから抽出する。
【００１８】
箇所指定手段の機能としては、前記部材抽出手段で抽出された車両構成部材の画像情報を表示して前記車両構成部材の任意の箇所を指定させる。
【００１９】
寸法抽出手段の機能としては、前記箇所指定手段で指定した箇所の寸法情報を前記寸法テーブルから抽出する。
【００２０】
提示手段の機能としては、前記抽出手段で抽出した寸法情報を前記画像情報の指定個所に表示させた寸法図を提示する。
【００２１】
なお、本実施形態では、汎用コンピュータにて車両用寸法図提示プログラムを運用することで車両用寸法図提示装置１を実現しているが、本発明の車両用寸法図提示装置は、これに限らず各手段を専用の電子回路で構成した電子機器であっても良い。
【００２２】
《車両用寸法図提示手順》
図２は、上記車両用寸法図提示装置１における車両用寸法図提示手順（車両用寸法図提示方法）の説明図である。
【００２３】
本例装置１の利用者は、キーボードやマウス等の入力装置から、修理対象車両の車種情報と、修理対象である車両構成部材の情報を入力する。車両用寸法図提示装置１は、この車種情報と車両構成部材の情報によって車両構成部材を指定し（ステップ１、以下Ｓ１のように略記する）、部材テーブルから車両構成部材の画像情報を抽出する（Ｓ２）。
【００２４】
装置１は、前記ステップで抽出された車両構成部材の画像情報をディスプレイ上に表示して前記車両構成部材の任意の箇所を指定させる（Ｓ３）。
【００２５】
図３は、この画像情報（車両構成部材の図面）を表示した例であり、車両構成部材上には、寸法を表示する際の基準となる基準点Ａ〜Ｌ，ａ〜ｌが設定されている。
【００２６】
装置１の利用者は、修理に必要な箇所を指定する。例えば、指定したい箇所の基準点を「Ｆ，Ｄ」のようにキーボードから入力する。また、指定したい箇所の基準点をマウスでクリックする。
【００２７】
装置１は、寸法テーブルから、前記ステップで指定した箇所の寸法情報を抽出する（Ｓ４）。
【００２８】
この寸法テーブルは、図４の如く、２つの基準点と、この間隔（寸法）とを対応づけて、Ｆ，Ｄ＝６５５（基準点Ｆと基準点Ｄの間隔が６５５ｍｍであることを示す）、Ａ，ａ＝１７００、Ａ，Ｃ＝５２０、ａ，ｃ＝５２０のように記憶している。
【００２９】
前記ステップで抽出した寸法情報を図５のように前記画像情報の指定個所に表示させて寸法図としてディスプレイ上に提示する（Ｓ５）。
【００３０】
なお、必要に応じ、ステップ４で複数箇所を指定して、複数の寸法を表示させても良い。
【００３１】
また、この寸法図は、プリンタから印刷出力しても良い。
【００３２】
以上のように、本実施形態によれば、指定した箇所の寸法情報に基づいて寸法図を提示することにより、必要な寸法だけを表示させることができ、視認性の高い寸法図の提示を行うことができる。
【００３３】
また、印刷物から該当箇所の寸法を探し出す手間を省略できる。更に、全ての寸法図を印刷物で保存しておく必要をなくしている。
【００３４】
〈実施形態２〉
図６は、本発明の実施形態２の概略構成図である。本実施形態は、ネットワーク上のデータサーバ２に寸法記憶手段と部材記憶手段備えた例である。
【００３５】
本形態において、前述の実施形態１と同一の要素は、同符号を付すなどして再度の説明を省略している。
【００３６】
本形態の車両用寸法図提示装置１は、部材抽出手段の機能により、車両構成部材を抽出する際、データサーバ２の記憶手段中に構築した部品テーブル（部材記憶手段）にネットワークを介してアクセスし、上述の如く指定した車両構成部材の画像情報を抽出する。
【００３７】
また、本形態の車両用寸法図提示装置１は、寸法抽出手段の機能により、寸法情報を抽出する際、データサーバ２の記憶手段中に構築した寸法テーブル（寸法記憶手段）にネットワークを介してアクセスし、上述の如く指定した箇所の寸法情報を抽出する。
【００３８】
なお、車両構成部材や必要な寸法の箇所の指定方法、寸法の提示方法など、その他の構成は実施形態１と同様である。
【００３９】
本実施形態においても、実施形態１と同様の効果が得られる。
【００４０】
また、本実施形態によれば、ネットワークを介して車両構成部材の情報や、寸法情報を、他のクライアント（車両用寸法図提示装置１）と共有できるので、データサーバの情報を更新するだけで、各クライアントが最新の情報を利用でき、高いメンテナンス性が得られる。
【００４１】
〈実施形態３〉
本実施形態では、図７の如く寸法情報として車両構成部材の奥行き（Ｚ軸）、幅（Ｘ軸）、高さ（Ｙ軸）で示される基準点の座標（ｘ，ｙ，ｚ）で記憶した点が上記実施形態と異なっている。
【００４２】
例えば図８のように基準点Ｆの座標を（９００，６００，５０）、基準点Ｄの座標を（９００，６００，７０５）のように記憶しておき、この座標間の距離を算出することで基準点Ｆと基準点Ｄとの距離が６５５ｍｍであることが求められ、これを提示手段の機能により、前述の如く寸法図に反映させて提示する。
【００４３】
以上のように本実施形態においても、前述の実施形態と同様の効果が得られる。
【００４４】
また、本実施形態によれば、寸法情報を各基準点の座標で記憶したことにより、例えば、Ｆ，Ｄ間、Ｆ，Ｃ間、Ｃ，Ｄ間の寸法を知りたい場合、各寸法を記憶しておかなくても、各基準点の座標を記憶しておけば距離を算出でき、データ構造の簡素化、入力作業の省力化が図れる。
【００４５】
〈その他〉
尚、本発明の車両用寸法図提示方法は、上記した実施の形態に限定されるものではなく、本発明の要旨を逸脱しない範囲内において種々変更を加え得ることは勿論である。
【００４６】
例えば、以下に示す形態であっても、上述した実施形態と同様の効果が得られる。
【００４７】
〔１〕：
車両の少なくとも一部を構成する車両構成部材の任意の箇所を指定するステップと、
前記車両構成部材の寸法情報を記憶した寸法記憶手段から、前記ステップで指定した箇所の寸法情報を前記寸法記憶手段から抽出するステップと、
前記ステップで抽出した寸法情報に基づいて寸法図を提示するステップと、
を含む車両用寸法図提示方法。
【００４８】
〔２〕：
車両の少なくとも一部を構成する車両構成部材を指定するステップと、
前記車両構成部材の画像情報を記憶した部材記憶手段から、前記ステップで指定した車両構成部材の画像情報を抽出するステップと、
前記ステップで抽出された車両構成部材の画像情報を表示して前記車両構成部材の任意の箇所を指定させるステップと、
前記車両構成部材の寸法情報を記憶した寸法記憶手段から、前記ステップで指定した箇所の寸法情報を抽出するステップと、
前記ステップで抽出した寸法情報を前記画像情報の指定個所に表示させた寸法図を提示するステップと、
を含む車両用寸法図提示方法。
【００４９】
〔３〕：
車両の少なくとも一部を構成する車両構成部材を指定するステップと、
前記車両構成部材の画像情報を記憶した部材記憶手段にネットワークを介してアクセスし、前記ステップで指定した車両構成部材の画像情報を抽出するステップと、
前記ステップで抽出された車両構成部材の画像情報を表示して前記車両構成部材の任意の箇所を指定させるステップと、
前記車両構成部材の寸法情報を記憶した寸法記憶手段にネットワークを介してアクセスし、前記ステップで指定した箇所の寸法情報を抽出するステップと、
前記ステップで抽出した寸法情報を前記画像情報の指定個所に表示させた寸法図を提示するステップと、
を含む車両用寸法図提示方法。
【００５０】
〔４〕：
前記寸法情報が、前記車両構成部材上に複数設定した基準点の間隔であることを特徴とする〔１〕から〔３〕の何れかに記載の車両用寸法図提示方法。
【００５１】
〔５〕：
前記寸法情報が、前記車両構成部材上に複数設定した基準点の座標であることを特徴とする〔１〕から〔３〕の何れかに記載の車両用寸法図提示方法。
【００５２】
〔６〕：
車両の少なくとも一部を構成する車両構成部材の任意の箇所を指定するステップと、
前記車両構成部材の寸法情報を記憶した寸法記憶手段から、前記ステップで指定した箇所の寸法情報を前記寸法記憶手段から抽出するステップと、
前記ステップで抽出した寸法情報に基づいて寸法図を提示するステップと、
をコンピュータに実行させる車両用寸法図提示プログラム。
【００５３】
〔７〕：
車両の少なくとも一部を構成する車両構成部材を指定するステップと、
前記車両構成部材の画像情報を記憶した部材記憶手段から前記ステップで指定した車両構成部材の画像情報を抽出するステップと、
前記ステップで抽出された車両構成部材の画像情報を表示して前記車両構成部材の任意の箇所を指定させるステップと、
前記車両構成部材の寸法情報を記憶した寸法記憶手段から、前記ステップで指定した箇所の寸法情報を抽出するステップと、
前記ステップで抽出した寸法情報を前記画像情報の指定個所に表示させた寸法図を提示するステップと、
をコンピュータに実行させる車両用寸法図提示プログラム。
【００５４】
〔８〕：
車両の少なくとも一部を構成する車両構成部材を指定するステップと、
前記車両構成部材の画像情報を記憶した部材記憶手段にネットワークを介してアクセスし、前記ステップで指定した車両構成部材の画像情報を抽出するステップと、
前記ステップで抽出された車両構成部材の画像情報を表示して前記車両構成部材の任意の箇所を指定させるステップと、
前記車両構成部材の寸法情報を記憶した寸法記憶手段にネットワークを介してアクセスし、前記ステップで指定した箇所の寸法情報を抽出するステップと、
前記ステップで抽出した寸法情報を前記画像情報の指定個所に表示させた寸法図を提示するステップと、
をコンピュータに実行させる車両用寸法図提示プログラム。
【００５５】
〔９〕：
前記寸法情報が、前記車両構成部材上に複数設定した基準点の間隔であることを特徴とする〔６〕から〔８〕の何れかに記載の車両用寸法図提示プログラム。
【００５６】
〔１０〕：
前記寸法情報が、前記車両構成部材上に複数設定した基準点の座標であることを特徴とする〔６〕から〔８〕の何れかに記載の車両用寸法図提示プログラム。
【００５７】
〔１１〕：
車両の少なくとも一部を構成する車両構成部材の寸法情報を記憶する寸法記憶手段と、
前記車両構成部材の任意の箇所を指定する箇所指定手段と、
前記箇所指定手段で指定した箇所の寸法情報を前記寸法記憶手段から抽出する抽出手段と、
前記抽出手段で抽出した寸法情報に基づいて寸法図を提示する提示手段と、
を備える車両用寸法図提示装置。
【００５８】
〔１２〕：
車両の少なくとも一部を構成する車両構成部材の寸法情報を記憶する寸法記憶手段と、
前記車両構成部材の画像情報を記憶する部材記憶手段と、
前記車両構成部材を指定する部材指定手段と、
前記部材指定手段で指定した車両構成部材の画像情報を前記部材記憶手段から抽出する部材抽出手段と、
前記部材抽出手段で抽出された車両構成部材の画像情報を表示して前記車両構成部材の任意の箇所を指定させる箇所指定手段と、
前記箇所指定手段で指定した箇所の寸法情報を前記寸法記憶手段から抽出する寸法抽出手段と、
前記寸法抽出手段で抽出した寸法情報を前記画像情報の指定個所に表示させた寸法図を提示する提示手段と、
を備える車両用寸法図提示装置。
【００５９】
〔１３〕：
車両の少なくとも一部を構成する車両構成部材の寸法情報を記憶する寸法記憶手段と、前記車両構成部材の画像情報を記憶する部材記憶手段とを備えたデータサーバに対してネットワークを介してアクセスする車両用寸法図提示装置であって、
前記車両構成部材を指定する部材指定手段と、
前記部材指定手段で指定した車両構成部材の画像情報を前記部材記憶手段から抽出する部材抽出手段と、
前記部材抽出手段で抽出された車両構成部材の画像情報を表示して前記車両構成部材の任意の箇所を指定させる箇所指定手段と、
前記箇所指定手段で指定した箇所の寸法情報を前記寸法記憶手段から抽出する寸法抽出手段と、
前記寸法抽出手段で抽出した寸法情報を前記画像情報の指定個所に表示させた寸法図を提示する提示手段と、
を備える車両用寸法図提示装置。
【００６０】
〔１４〕：
前記寸法情報が、前記車両構成部材上に複数設定した基準点の間隔であることを特徴とする〔１０〕から〔１３〕の何れかに記載の車両用寸法図提示装置。
【００６１】
〔１５〕：
前記寸法情報が、前記車両構成部材上に複数設定した基準点の座標であることを特徴とする〔１０〕から〔１３〕の何れかに記載の車両用寸法図提示装置。
【００６２】
本発明において、以上の各構成要素は、可能な限り組み合わせることができる。
【００６３】
【発明の効果】
以上、説明したように本発明によれば、指定した箇所の寸法情報に基づいて寸法図を提示することにより、視認性の高い寸法図の提示を可能とした車両用寸法図提示方法、車両用寸法図提示プログラム及び車両用寸法図提示装置を提供することができる。
【図面の簡単な説明】
【図１】本発明に係る実施形態１の車両用寸法図提示装置の概略構成図
【図２】実施形態１の車両用寸法図提示手順の説明図
【図３】画像情報の表示例を示す図
【図４】実施形態１の寸法テーブルの説明図
【図５】本発明における寸法図の説明図
【図６】本発明に係る実施形態２の車両用寸法図提示装置の概略構成図
【図７】実施形態３において寸法情報として記憶される座標の説明図
【図８】実施形態３の寸法テーブルの説明図
【符号の説明】
１                                                                                                                                            車両用寸法図提示装置
２                                                                                                                                            データサーバ
１１                                                                                                                                        本体
１２                                                                                                                                        演算処理部
１３                                                                                                                                        ハードディスク
１４                                                                                                                                        入出力ポート
１５                                                                                                                                        キーボード
１６                                                                                                                                        マウス
１７                                                                                                                                        ディスプレイ
１８                                                                                                                                        通信制御手段
１９                                                                                                                                        プリンタ
【図１】
0003554713.tif 000002
【図２】
0003554713.tif 000003
【図３】
0003554713.tif 000004
【図４】
0003554713.tif 000005
【図５】
0003554713.tif 000006
【図６】
0003554713.tif 000007
【図７】
0003554713.tif 000008
【図８】
0003554713.tif 000009